Podtech/llm-jp-corpus-v4-ja_patent huggingface dataset:
(57)【要約】      （修正有）【課題】災害時の救助等において通常のスコップやシャベルを用いると金属部や鋭部により救助者の人体を損傷する危険があり、作業は慎重に行わざるをえず、そのために、作業の速度が遅れてしまったり、作業を慎重に行っても金属部により損傷することがあった。植物を掘り出すときも同様である。【解決手段】土砂を掘り起こすため十分な強度を持った金属のスコップ１やシャベルの本体またはカバーまたは着脱器具に弾性体を用いて金属部や鋭部から保護することで人体や植物を傷つけることなく救出したり掘り出したりする。【選択図】図１
2010203221.tif 000002
【特許請求の範囲】
【請求項１】
人体や植物が傷つかないように金属製のスコップまたは金属製のシャベルを十分な厚さと強度とやわらかさを持った弾性体で覆った救出用スコップまたは救出用ショベル
【請求項２】
人体や植物が傷つかないように通常のスコップまたはショベルを覆えて留めて用いられる十分な厚さと強度とやわらかさの留め具を持った磁性体入り弾性体の救出用スコップカバーまたは救出用ショベルカバー
【請求項３】
人体や植物が傷つかないようにスコップまたはショベルに十分な厚さと強度とやわらかさの弾性体を留め部で着脱できるようにした救出用スコップまたは救出用ショベル
【発明の詳細な説明】
【技術分野】
【０００１】  本発明は災害にあった人を救出するため、または、植物を傷つけずに掘り出すために弾性体を用いたスコップまたはシャベル、または、磁性体入り弾性体よりなるカバーを用いることで傷つけずに救出することを目的とした救出用スコップまたは救出用ショベル、及び、救出用スコップカバーまたは救出用ショベルカバーに関する。
【背景技術】
【０００２】  従来では災害時の救助等には通常のスコップやシャベルが使われており、人体を傷つけてしまう恐れがあるため、慎重に時間をかけて掘り進めていく必要があった。また、金属部分により損傷してしまうこともあった。また、スコップが掘る時の音を軽減するためスコップに弾性体を貼り付けるものがあったが、断面が金属であるため損傷免れ得なかった。また、保存用のカバーがあったが、そのままつけたまま掘るようなものではなく、ぐらついたりすぐに外れてしまうものがある。また、プラスチックでできた雪かき用のスコップがあった。
【特許文献１】特開２００５−０７６２４８号公報
【特許文献２】登録実用新案第３０８９２９７号公報
【発明の開示】
【発明が解決しようとする課題】
【０００３】  本発明は、災害時の救助等において通常のスコップやシャベルを用いると金属部や鋭部により救助者の人体を損傷する危険があり、作業は慎重に行わざるをえず、そのために、作業の速度が遅れてしまったり、作業を慎重に行っても金属部により損傷することがあった。そこで、スコップやシャベルを弾性体で保護することで、人体に触れても損傷することがなく、そのことにより、安心して作業を進めることができ、その結果として救出の速度を早めることができる。着脱式の救出用スコップや救出用シャベルでは、弾性体が劣化しても即座に換えることができ、また、救出時は弾性体を付けて作業し、通常時は外して作業することも可能となる。これは植物の掘り起こし等についても言える。
【課題を解決するための手段】
【０００４】  本発明は土砂を掘り起こすため十分な強度を持った金属のスコップやシャベルの本体またはカバーまたは着脱器具に弾性体を用いて金属部や鋭部から保護することで人体や植物を傷つけることなく救出したり掘り出したりすることができる。
【発明の効果】
【０００５】  本発明はスコップやシャベル本体またはカバーまたは着脱器具に弾性体を用いることで人体や植物を傷つけることなく救出したり掘り出したりすることができる。また、着脱式の救出用スコップや救出用シャベルでは、弾性体が劣化しても即座に換えることができ、また、救出時は弾性体を付けて作業し、通常時は外して作業することも可能となる。また、強度の高いスコップやシャベルに弾性体を用いるので土砂を掘り出しやすく、安易に壊れず救出のために急いで大量の土砂を掘り起こすことができる。弾性体には非粘着性素材をコーティングすることで摩擦を減らして用いることもできる。
【発明を実施するための最良の形態】
【０００６】  金属製のスコップまたは金属製のシャベルを人体や植物が傷つかない程度に十分な厚さと強度とやわらかさを持った弾性体で覆う構造とする。【０００７】  通常のスコップまたはショベルを人体や植物が傷つかない程度に十分な厚さと強度とやわらかさの磁性体入り弾性体に留め具を持ったカバーで覆い、磁性体と金属が引き付ける力と弾性体によりずれないようにし、留め具にでしっかりと固定して用いれる構造とする。【０００８】  スコップまたはショベルに人体や植物が傷つかない程度に十分な厚さと強度とやわらかさの弾性体を留め部で取り外しできる構造のスコップまたはショベルとする。
【図面の簡単な説明】
【０００９】
【図１】本実施形態に係る弾性体で覆った救出用スコップの構成図
【図２】本実施形態に係る弾性体で覆った救出用ショベルの構成図
【図３】本実施形態に係る弾性体の救出用スコップカバーで覆ったスコップの構成図
【図４】本実施形態に係る弾性体の救出用スコップカバーで覆ったスコップ頭部の断面図
【図５】本実施形態に係る着脱できる弾性体を用いたスコップの構成図
【符号の説明】
【００１０】１    スコップ
２    弾性体で覆った救出用スコップ頭部
３    ショベル
４    弾性体で覆った救出用ショベル頭部
５    磁性体入り弾性体の救出用スコップカバー
６    留め具
７    留め具穴
８    着脱式スコップの留め部
９    弾性体の留め部
１０  着脱できる弾性体
【図１】
2010203221.tif 000003
【図２】
2010203221.tif 000004
【図３】
2010203221.tif 000005
【図４】
2010203221.tif 000006
【図５】
2010203221.tif 000007
(57)【要約】【課題】  プレカツト工場の木製長尺角材を構造材の桁、梁に加工するとき、毎日たくさんの端尺が出る。使い道がなく産業廃棄物となる。この端尺の角材１本を水田用水路コンクル−トＵ字溝の橋に角材の裏面を凸形にし、表面の両側には傾斜面を設けて、上部に収まるよう加工を施した「簡易木製橋」である。更に腐食に長期間（１５〜２０年）耐えるため、木材防腐処理をする。長く安全に通行の効果を発揮する。【解決手段】  角材の裏面を凸形にし、表面の両側には傾斜面を設けて、水田用水路Ｕ字溝に架ける簡易木製橋。【選択図】図３
2010203218.tif 000002
【特許請求の範囲】
【請求項１】
角材の裏面を凸形にし、表面の両側には傾斜面を設けて、水田用水路Ｕ字溝に架ける簡易木製橋。
【発明の詳細な説明】
【技術分野】
【０００１】  この発明は、水田の用水路Ｕ字溝に架ける、簡易木製橋に関するものである。
【背景技術】
【０００２】  従来より、水田用水路として、コンクリ−ト製Ｕ字溝が多く敷設されている。農道に沿った用水路が多く、農作業するのに、水の流れるこの用水路を跨いで、農道から水田畦道へ渡ることが多くある。跨ぐとき危険なため、用水路上に木の板又はコンクリ−ト板を乗せている。
【発明の概要】
【発明が解決しようとする課題】
【０００３】  この用水路Ｕ字溝上の渡り板は木では割れ易く又腐食が早く、渡るのに危険である。コンクリ−ト板は資材の調達、枠組、セメントの流し込みなど複雑で、手軽につくることはできない。本発明はプレカット工場の木製の長尺角材を加工するとき出る、端尺、すなわち、産業廃棄物を使用して、橋に加工し、用水路に架けることにより安全に渡ることができる。木の単なる薄板の危険性と、コンクリ−ト板は高価となる、欠点を解決するために発明されたものである。
【課題を解決するための手段】
【０００４】  この発明の基本的な構造を説明する。プレカット工場の木製長尺角材を構造材の桁、梁に加工するとき、毎日たくさんの端尺が出る。使い道がなく産業廃棄物となる。この端尺の角材１本を水田用水路コンクリ−ト製Ｕ字溝の橋に角材の裏面を凸形にし、表面の両側には傾斜面を設けて上部に収まるよう加工を施した「簡易木製橋」である。更に腐食に長期間（１５〜２０年）耐えるため、木材防腐処理をする。長く安全に通行の効果を発揮する。
【発明の効果】
【０００５】  したがって本発明は以下に記載されるような効果を奏する。
（イ）プレカット工場の木製を主材とした長尺角材の端尺を使用することで、厚物の１枚      板なので、頑丈でしかも安価に製造できる。
（ロ）用水路Ｕ字溝の大きさが違っても、長さを変えることで対応できる。
（ハ）木材防腐処理をしてあるため、長い年月（１５〜２０年）腐食に耐えるため、安全      に通行できる。
（ニ）道路から農道畦道に通じるところのみでなく、操作が頻繁にある、水田給水ゲ−ト      の前に架けることで、給水ゲ−ト操作が容易になる。
（ホ）並列に複数を使うことで、広い橋（図５）となる。
【図面の簡単な説明】
【０００６】
【図１】  用水路コンクリ−ト製Ｕ字溝の斜視図
【図２】  本発明の構成図
【図３】  本発明の斜視図
【図４】  本発明の角材裏面の切り込み線図
【図５】  本発明を並列に複数設置の斜視図
【発明の実施するための形態】
【０００７】  以下本発明の実施するための形態についた説明する。
第１工程  プレカット工場で１２０ｍｍ厚の木製長尺角材を加工するとき出る、端尺の広          い物（２７０、３００、３３０、３６０ｍｍ）を使用する。
（イ）水田用水路コンクリ−ト製Ｕ字溝の内側上部（１）を測り、木製橋の下部凸の          長さとする。
（ロ）凸部の両端（３）をそれぞれ２００ｍｍの長さをとり、橋の固定部位とする。
（ハ）凸面の長さ、両端の固定部位の長さを合わせて橋の全長とする。
第２工程  角材（端尺）から橋の全長を測り、自動厚物切断機（クロスカット機）で切り          取る。
（イ）橋材の裏面に凸形となるように両端からそれぞれ２００ｍｍの横切り込み線（          ６）を自動鋸（丸のこ）で６０ｍｍ深さの切り込みする。
（ロ）橋材を９０度回転させ、固定部位（３）をつくるため、両端の中央の縦切り込          み線（７）を自動帯鋸で横切り込み線（６）まで切り込む。
（ニ）橋材の表面（５）を歩行するとき、足が橋材の角（４）に引っ掛けられないよ          うに、自動帯鋸で両端を斜め（８）に切り傾斜面（９）をつくる。
したがって、Ｕ字溝の内部に保持された状態になるので、左右に移動で外れる          ことはない。
第３工程  橋材を腐食に耐えるため、木材防腐液の加圧注入処理を施す。
【符号の説明】
【０００８】    １  コンクリ−ト製Ｕ字溝内部上部
２  凸部
３  固定部位
４  橋材両端角
５  歩行面
６  橋材両端の横切り込み線
７  橋材両端の縦切り込み線
８  橋材両端の斜め切り込み線
９  橋材両端の傾斜面
１０  コンクリ−ト製Ｕ字溝
【図１】
2010203218.tif 000003
【図２】
2010203218.tif 000004
【図３】
2010203218.tif 000005
【図４】
2010203218.tif 000006
【図５】
2010203218.tif 000007
(57)【要約】【課題】従来利用されてきた、外周面に模様のあるローラーを塗面上に転がして、模様を形成する方法は、利用できる離型剤や離型剤の使用方法に制約があり、精細な模様の形成が困難であり、又作業者への健康影響があった。【解決手段】建材又は建築物の塗装基材面に塗剤を塗布し、塗剤が乾燥する前に塗剤上にシリコン系離型剤を噴霧した後、外周面に模様のあるローラーを塗剤の上に転がし、塗剤上に模様を形成する方法であり、精細な模様を作業者への健康影響なしに形成出来る。【選択図】図１
2010203214.tif 000002
【特許請求の範囲】
【請求項１】
外周面に模様のあるローラーを乾燥前の塗材上に転がすことにより、塗材上に模様を形成する方法であって、前記塗材上に、前記ローラーを転がす前にシリコン系離型剤を噴霧する模様形成方法。
【請求項２】
前記シリコン系離型剤噴霧量は、塗面１ｍ２あたり４０ｇ〜８０ｇ。好ましくは、塗面１ｍ２あたり５０ｇ〜７０ｇであるところの請求項１に記載の模様形成方法。
【発明の詳細な説明】
【技術分野】
【０００１】本発明は、ローラーにより建材、または、建築物に精細な模様を形成する方法に関する。
【背景技術】
【０００２】ローラーによる模様の形成方法としては、種々のものがある。これら模様の形成方法のうち、例えば特開昭６０−２４１９７１では、ローラー表面に平行なリブを設け、あらかじめローラー凹部に塗料が入るように馴染ませたのち、塗剤表面にローラーを転がし、模様を形成する方法である。
【特許文献１】特開昭６０−２４１９７１
【０００３】また、特許文献２として示す特開２００８−８６９７１では、ローラー表面に平行な凸形状を設け、離型性を向上させるために、ローラー表面を離型剤に浸した後、塗材表面を転がし、模様を形成する方法である。
【特許文献２】特開２００８−８６９７１
【先行技術文献】
【特許文献】
【０００４】
【特許文献１】特開昭６０−２４１９７１
【特許文献２】特開２００８−８６９７１
【発明の概要】
【発明が解決しようとする課題】
【０００５】以上に述べた、従来の方法では、離型性を確保するために、頻繁にローラーを離型剤に浸さねばならないため、作業性が悪く、又、離型剤の使用量が多くなり、結果としてシリコン系の高価な離型剤の使用が難しかった。そのため、低廉な灯油や、塗料用シンナーを、離型剤として使用しなければならず、頭痛・眼刺激・吐き気などの作業者への健康影響があった。更に、離型剤に浸すという方法では、離型剤量の制御が難しく、特に精細な模様を形成することが困難であった。【０００６】本発明は、このような従来の方法が有していた問題を解決しようとするものであり、外周面に模様のあるローラーにより精細な模様を形成出来、且つ、作業者の健康にも影響が少ない方法である。
【課題を解決するための手段】
【０００７】そして本発明は、乾燥前の塗剤上にシリコン系離型剤を噴霧した後、外周面に模様のあるローラーを塗剤の上に転がし、塗剤上に模様を形成するものである。【０００８】請求項２に記載した発明は、シリコン系離型剤の噴霧量が、塗面１ｍ２あたり４０ｇ〜８０ｇが好ましく、より好ましくは塗面１ｍ２あたり５０ｇ〜７０ｇであることを示している。
噴霧量が４０ｇ以下になると、離型性が悪化し、特に精細な模様の形成が困難になる。又、噴霧量が８０ｇ以上では、塗材表面樹脂がシリコン系離型剤と一緒に流れ落ちてしまうためである。【０００９】前記ローラーの転がし回数はローラーの外周面の模様の１回転毎の重なり部分を目立たなくするために、２回ないし３回転がすことが好ましい。
【発明の効果】
【００１０】上述したように本発明のローラーによる精細な模様形成方法は、従来、困難であった、建材、建築物への、精細な模様を生産性よく形成出来、又、作業者に対する健康影響も少ないものである。
【図面の簡単な説明】
【００１１】
【図１】  本発明による模様形成例
【図２】  本発明によるローラーの外周面
【図３】  図２Ａ−Ａ断面
【図４】  図２Ｂ−Ｂ断面
【発明を実施するための形態】
【００１２】以下、本発明の実施の形態を図１〜図４に基づいて説明する。
【００１３】図１は本発明による模様形成例であり、縄から形状を模写した模様を塗剤上に形成したものである。
【００１４】図２は本発明のローラーの外周面の外観図である。
【００１５】図３〜４は本発明のローラーの構造であり、内径は、一般的に販売されているローラーハンドル同等の内径４２ｍｍ±１ｍｍとなっており、外径寸法は６５ｍｍ前後となる。
【００１６】以下、上記の方法を説明する。建材または、建築物の塗装基材面に、塗材を金コテまたはステンレスコテを使用して１ｍｍ〜５ｍｍに塗る。次に塗材が乾燥する前に噴霧器を使用してシリコン系離型剤を１ｍ２当たり４０ｇ〜８０ｇ好ましくは５０ｇから７０ｇ噴霧する。その後、図１のように外周面に模様のあるローラーを２回ないし３回、離型剤上を転がす。
【符号の説明】
【００１７】  ａ．シリコンゴム層  ３ｍｍ〜１５ｍｍ
ｂ．外径  ６２±１ｍｍ径
ｃ．内径  ４２±１ｍｍ径
【図１】
2010203214.tif 000003
【図２】
2010203214.tif 000004
【図３】
2010203214.tif 000005
【図４】
2010203214.tif 000006
(57)【要約】【課題】  洗面台排水口に取り付けられている髪の毛などの汚物をキャッチする目皿は、汚物が溜まり排水が悪くなると、その都度、目皿を外し、汚物を除去してから再取り付けして使用している。【解決手段】目皿を使い捨て式にする。髪の毛などの汚物が付着したときに、目皿ごと捨て、新しい目皿を取り付ける。【選択図】図３
2010203219.tif 000002
【特許請求の範囲】
【請求項１】
市販の洗面台排水口には着脱式の目皿が取り付けられている。この目皿を使い捨てができるように安価なものにする。
【発明の詳細な説明】
【技術分野】
【０００１】本発明は洗面台排水口の使い捨て目皿です。
【背景技術】
【０００２】洗面台排水口に髪の毛などの汚物が溜まり排水が悪くなると、目皿に溜まった髪の毛などの汚物を除去しなければならない。その為には、目皿を一旦は排水口から外し、付着した汚物を目皿から除去した後、目皿を排水口に再セットして使用している。
【発明の開示】
【発明が解決しようとしている課題】
【０００３】洗面台排水口の目皿に溜まった髪の毛などの汚物を除去する為に、一旦目皿を外し、目皿から汚物を分離し、再びセットして使用しなくても良いように、目皿ごと取り替える。
【課題を解決する為の手段】
【０００４】樹脂製の、安価な使い捨ての目皿を作る。
【発明の効果】
【０００５】使い捨ての目皿を使用することにより、髪の毛だけでなく、色々な汚物が付着した目皿ごと処分し、新しい目皿を変わりにセットすればよい。作業が簡単であり、清潔である。
【発明を実施する為の最良の形態】
【０００６】本発明は洗面台排水口に取り付けられるような樹脂製の使い捨て目皿を作り、排水口にセットして使用する。使い捨て目皿は、比較的強度が弱くても良いことより、樹脂で作り、弾力性を持たすことにより、従来の洗面台排水口に簡単にセットできる。排水口にセットする際、従来の目皿を外しても良いし、従来の目皿を取り付けたまま本目皿をセットしても良い。尚、本目皿着脱には掴み部分を設けることにより、その作業は簡単に行うことができる。
【図面の簡単な説明】
【０００７】
【図１】本発明の斜視図
【図２】本発明の正面図
【図３】本発明が洗面台排水口に取り付けられた想像図
【符号の説明】
【０００８】  （１）取手、    （２）通水孔、    （３）目皿部
【図１】
2010203219.tif 000003
【図２】
2010203219.tif 000004
【図３】
2010203219.tif 000005
(57)【要約】【課題】  ＬＥＤを光源とする検査装置で高輝度を得るためには光源であるＬＥＤに大電流を流す必要があり、この結果ＬＥＤから発熱を逃がすため大きな放熱フィンとファンなどを使用した強制空冷、又は水冷が必要となり、装置が大掛かりかつ高価になる欠点がある。【解決手段】  チップ状のＬＥＤを等間隔に複数個配置し、この複数個のＬＥＤからの光を漏れなく反射するようにＬＥＤとＬＥＤの上部に設置したロッドレンズの間に光反射板をロッドレンズの上部に設置した拡散板の位置まで挿入し、ＬＥＤからの光束を効率よくかつ、必要な箇所にのみ出すことにより、ＬＥＤに大電流を流さなくても必要な輝度が得られ、ＬＥＤの発熱も抑えられる。この結果、ＬＥＤの放熱フィンが小型化でき、水冷などの大げさな装置が省略でき、安価かつ加工も簡単になる。【選択図】図１
2010114054.tif 000002
【特許請求の範囲】
【請求項１】
チップ状のＬＥＤを等間隔に複数個配置し、この複数個のＬＥＤからの光を漏れなく反射するようにＬＥＤとＬＥＤの上部に設置したロッドレンズの間に光反射板をロッドレンズの上部に設置した拡散板の位置まで挿入し、ロッドレンズから出た光をロッドレンズの上部に設置した拡散板に照射するようにしてなる光源装置。
【発明の詳細な説明】
【技術分野】
【０００１】  本発明は、チップ状ＬＥＤと集光レンズを組み合わせて効果的に検査物の欠点を検査する高輝度光源装置に関するものである。
【背景技術】
【０００２】  従来、欠点検査装置の光源として蛍光ランプなどが主流であったが、近年高輝度のＬＥＤが開発され、長寿命、省電力などの利点から蛍光ランプに代わって複数個並べたＬＥＤが光源として採用されるようになってきた。【０００３】  このＬＥＤは、当初レンズとＬＥＤを一体型にした砲弾型のタイプが採用されていたが、検査物の傷などの欠点を見つけるとき、光源の輝度が十分ではないため検査物の小さな欠点を発見する事が困難であった。そのためチップ状のＬＥＤと集光レンズを組み合わせ、高輝度の光源装置が提供されている。
【発明の開示】
【発明が解決しようとする課題】
【０００４】  しかし、このような装置では高輝度を得るため光源であるＬＥＤに大電流を流す必要があり、この結果ＬＥＤから発生する熱を逃がすため大きな放熱フィンとファンなどを使用した強制空冷、又は水冷が必要となり、装置が大掛かりかつ高価になる欠点がある。
【課題を解決するための手段】
【０００５】  前記問題点を解決するため、本発明はチップ状のＬＥＤを等間隔に複数個配置し、この複数個のＬＥＤからの光を漏れなく反射するようにＬＥＤとＬＥＤの上部に設置したロッドレンズの間に光反射板をロッドレンズの上部に設置した拡散板の位置まで挿入し、ＬＥＤからの光束を効率よくかつ、必要な箇所にのみ出すことにより、ＬＥＤに大電流を流す必要がないようにした。
【発明の効果】
【０００６】  本発明によれば、ＬＥＤから出る光束を光反射板で漏れなくロッドレンズに集め、ロッドレンズから出る光束も漏れなくロッドレンズの上部に設置した拡散板に照射するため、拡散板から出る光は非常に大きな輝度が得られる。この結果、ＬＥＤには大電流を流さなくても必要な輝度が得られ、ＬＥＤの発熱も抑えられるため、ＬＥＤの放熱フィンが小型化でき、水冷などの大げさな装置が省略でき、安価かつ加工も簡単になる。
【発明を実施するための最良の形態】
【０００７】  以下、図面に基づき本発明の実施の形態を説明する。【０００８】  図１は、本発明の実施例を示す光源装置の断面図である。【０００９】  この光源装置は、プリント基板３上にＬＥＤ２が複数個取付けられ、その上部にアルミの押出し成型品などと一体となったロッドレンズ４を固定する突起物６が設けられている。【００１０】  ＬＥＤ２とロッドレンズ４との間には光反射板７がロッドレンズ４の上部に取り付けられた拡散板５の位置まで挿入されているため、ＬＥＤ２から出る光束は漏れなくロッドレンズ４の上部に取り付けられた拡散板５を通して検査物に照射される。【００１１】  拡散板５から出る光は、ＬＥＤから出る光束を漏れなくロッドレンズ４を通して集められているため非常に大きな輝度が得られる。光反射板７がない時の輝度と比較すると１．５倍以上になる。【００１２】  以上のような構成により、本実施例ではＬＥＤ２からの光束が光反射板７で漏れなくロッドレンズ４を通して拡散板５から効率よく外部に照射される。このときの輝度を光反射板７がないときと同じにすると、ＬＥＤ２に流す電流は約６０％になり、その結果ＬＥＤ２の発熱が低く、ＬＥＤ２の冷却は強制空冷及び水冷の必要がなく、放熱フィン８のみで十分である。
【図面の簡単な説明】
【００１３】
【図１】本発明の実施例を示す光源装置の断面図。
【符号の説明】
【００１４】    １・・・光源装置の本体
２・・・チップ状のＬＥＤ
３・・・プリント基板
４・・・ロッドレンズ
５・・・拡散板
６・・・ロッドレンズ固定用突起物
７・・・光反射板
８・・・放熱フィン
【図１】
2010114054.tif 000003
(57)【要約】【課題】本発明は、吸着パッドを用いることで、特別な照明設置スタンドを必要とせず、照明灯を取り付けられる軽量で持ち運びできる電光表示板をかねる照明灯を製作するものである。【解決手段】本発明は、複数のＬＥＤまたは有機ＥＬを発光体とする発光部に、吸着位置及び投光角度可変可能な吸着パッドを構成した照明灯を、自動車内外のガラスや窓ガラスなどの平らな場所に吸着させることによって、取り付けるもである。【選択図】図１
2010114056.tif 000002
【特許請求の範囲】
【請求項１】
平らな面に取り付けたＬＥＤからなる発光部と吸着パッドを構成し、前記吸着パッドにより前記発光部面を透明体に接するように固定することにより前記発光体から前記透明体をとうして投光を行うことを特徴とする照明灯及び電光表示板。
【請求項２】
平らな面に取り付けた複数のＬＥＤからなる発光部と前記発光部周囲に前記発光部より発光される光をシールする壁と吸着パッドを構成し、前記吸着パッドにより前記発光部面を透明体に接するように固定することにより前記発光体から前記透明体をとうして投光を行うことを特徴としかつ、前記吸着パッドの吸着位置及び発光部の吸着面に対する角度が前記発光部にたいして可変であることを特徴とする照明灯及び電光表示板。
【請求項３】
請求項１及び請求項２の照明灯において、ＬＥＤ及び複数のＬＥＤの変わりに有機ＥＬが使用されていることを特徴とする照明灯及び電光表示板。
【発明の詳細な説明】
【技術分野】
【０００１】本発明は、照明灯及び電光表示板に使用される
【背景技術】
【０００２】夜釣りなどにての照明は、携帯用の蛍光灯や、懐中電灯などが用いられるが、固定した場所に取り付けて必要な場所の照明を行う場合などには、照明設置スタンドなどを設けなくてはならないが、暗いところではこのスタンドを倒したりしてしまう場合があり、ＬＥＤや有機ＥＬ照明などより体積および重量の大きい蛍光灯や電球などは倒れるとすぐに壊れてしまう場合があった。【０００３】また、野外照明のための電源を自動車などから取り込む場合、不意の雨のなどの天候不良において、防水仕様で無い場合は、水が照明灯の内部に入りショートにより壊れる場合もあり使用できない場合もあった。
【発明の開示】
【発明が解決しようとする課題】
【０００４】本発明は、吸着パッドを用いることで、特別な照明設置スタンドを必要とせず、照明灯を取り付けられる軽量で持ち運びできる電光表示板をかねる照明灯を製作するものである。
【課題を解決するための手段】本発明は、複数のＬＥＤまたは有機ＥＬを発光体とする発光部に、吸着位置及び投光角度可変可能な吸着パッドを構成した照明灯を、自動車内外のガラスや窓ガラスなどの平らな場所に吸着させることによって、取り付けるもである。
【発明の効果】発光部と吸着パッドを構成した、照明灯を自動車のガラスや窓ガラスなどに吸着させかつ吸着位置及び投光角度を変えることにより、特別な照明設置場所を必要としなくとも、前記照明灯を固定させ正確な投光または、電光表示を行うことができる。また、
【発明を実施するための最良の形態】
【０００５】本発明は、複数のＬＥＤまたは有機ＥＬを発光体とする発光部と吸着パッドを構成させ、自動車のガラスや窓ガラスなどに前記吸着パッド吸着固定させることによって、照明灯の取り付けるものである。
【実施例】
【０００６】実施例について図面を参照して説明する。図１の図（１ａ）は、本発明による自動車からの電力を電源として点灯する照明灯（Ａ）の正面図である、２つの基板（５）に縦と横に等間隔で配置された複数のＬＥＤ（２）と前記ＬＥＤ（２）で構成された発光体の周囲に設けた前記ＬＥＤ発光時の光拡散のシールの役割を果たす壁として２つの拡散防止ゴム（３）と前記基板の収納とＬＥＤからの熱を放熱する２つの箱体（４）からなる発光部と前記箱体を取り付ける為のゴムまたはプラスチックなどから製造された、指などにてパッド内部の空気を押し出すことにより平ら面に吸着する４つの吸着パッド（１）から構成されている（電気配線等の図は省略する）、本発明の照明灯の発光部の発光体は、従来の照明灯に使用される電球や蛍光灯より小さいＬＥＤであるため、前記照明灯（Ａ）の幅（ｔ）は、７ｍｍ程度から２０ｍｍ程度の厚さにできる、有機ＥＬの場合はさらに薄くかつ軽量にできる。
有機ＥＬ使用の場合は複数のＬＥＤ（２）の部分に有機ＥＬのシートが塗布される。【０００７】図（２ａ）は、前記照明灯の右側面図である。
図２の図（１ｂ）は前記照明灯（Ａ）の右側面図であり、中点（Ｍ）にて蝶番（図示しない）などにて２つの箱体（４）を連結させてあるので、収納の際、中点（Ｍ）を中心に矢印で示した方向に回転させ２つに折りたためる。
図（２ｂ）は、図（１ｂ）の前記照明灯を２つに折りたたんだ状態の図である。２つに折りたたむことにより、持ち運びが簡単になる【０００８】図３の図（１ｃ）は、前記照明灯（Ａ）を自動車内部のガラス窓（５）に吸着させ取り付けた図である。従来の照明灯はＬＥＤや有機ＥＬ使用の照明灯にくらべ重量があるので、吸着パッド（１）による力では照明灯を窓ガラスに吸着させるのは困難であった。照明灯（Ａ）の投光面は、ガラス窓（５）に面しているので、発光時、光は自動車のガラス窓（５）とうして、車外を照らすことができるので、雨が降っている場合などにおいて、照明灯（Ａ）を雨水にさらすことなく使用できるため、防水仕様などは必要としなくてすむ。また、光の漏れをシールする前記拡散防止ゴム（３）は前記照明灯（Ａ）からの光が自動車のガラス窓（５）に乱反射して、前記自動車のガラス窓（５）をつうかせず車内に漏れるのを防ぐ役割を果たす。
図（２ｃ）は、吸着バッド（１）を回転し、壁などの平らな面（６）に吸着させた図である、発光面が図（１ｃ）とは吸着面が反対になる。
図（３ｃ）は、前図（２ｃ）において、発光時の投光角度（θ）をかえて、投光方向を変えた場合の図である。ＬＥＤなどは、指向性が強いので、対象物を正確に投光する場合は、照明灯の角度を自由に変えることが必要となる。投光角度（θ）は図（１ｃ）の投光面がガラス窓（５）に面している場合でも、変えることができる。
図４は、本発明と照明灯（Ａ）を自動車の窓に内部から貼り付けた図である。
照明灯（Ａ）にコントローラーを連結して、各ＬＥＤの照度及び色を変えて、宣伝、標識などの電光表示板としても利用できる
【産業上の実施の可能性】
【０００９】
【図面の簡単な説明】
【図１】（１ａ）本発明による照明灯  （２ａ）本発明による照明灯の右側面図
【図２】（１ｂ）本発明による照明灯の右側面図  （２ｂ）本発明による照明灯の折りたたんだ図
【図３】（１ｃ）本発明による照明灯を窓ガラスに貼り付けた図  （２ｃ）本発明による照明灯を壁に貼り付けた図  （３ｃ）本発明による照明灯を壁に貼り付けた図
【図４】本発明による照明灯を自動車内の窓に貼り付けた図
【符号の説明】
１．吸着パッド
２．ＬＥＤ
３．拡散防止ゴム
４．箱体
５．ガラス窓
６．壁などの平らな面
Ａ  本発明による照明灯
Ｍ．本発明による照明灯の中点
θ  投光角度
【図１】
2010114056.tif 000003
【図２】
2010114056.tif 000004
【図３】
2010114056.tif 000005
【図４】
2010114056.tif 000006
(57)【要約】【課題】  窒素を含有する酸化亜鉛膜の製造方法を提供する。【解決手段】  窒素及び酸素の混合ガスを、非平衡大気圧プラズマ化して反応性ガスとし、気化した有機亜鉛化合物と混合させ、該有機亜鉛化合物を分解し、基板上に堆積させる窒素含有酸化亜鉛膜の製造方法である。  本発明により製造した酸化亜鉛薄膜は、窒素を含有することでｐ型特性を実現する薄膜になりうる可能性がある。よって、これを用いてなる半導体製品は、酸化亜鉛が透明であることから、発光部材としての適用を期待できるものである。【選択図】図１
2010114198.tif 000002
【特許請求の範囲】
【請求項１】
窒素及び酸素の混合ガスを、非平衡大気圧プラズマ化して反応性ガスとし、気化した有機亜鉛化合物と混合させ、該有機亜鉛化合物を分解し、基板上に堆積させることを特徴とする窒素含有酸化亜鉛膜の製造方法。
【発明の詳細な説明】
【技術分野】
【０００１】
本発明は、非平衡大気圧プラズマを用いてなる窒素含有酸化亜鉛膜の製造方法に関するものである。
【背景技術】
【０００２】
従来、酸化亜鉛薄膜の成膜方法には、真空下での方法として、蒸着法、スパッタ法、プラズマＣＶＤ（化学蒸着）法、パルスレーザー堆積法などが報告されている。また、近年では真空装置が高価であることから、大気圧下による酸化亜鉛薄膜の形成も試みられている（非特許文献１）。つまり、大気開放された基板に対しては、ヘリウムキャリアガスとともにプラズマトーチに導入した気化原料を、ヘリウムおよび酸素を用いた大気圧低温プラズマによって分解して、基板上にＺｎＯ薄膜を堆積させるものである。
【非特許文献１】須崎嘉文、他７名，「大気圧開放下で発生させた低温プラズマによるＺｎＯ薄膜の作製」，精密工学会誌７０巻第７号，２００４年，ｐ．９９４−９９７
【発明の開示】
【発明が解決しようとする課題】
【０００３】
非特許文献１による酸化亜鉛薄膜の製造方法は、そのプラズマ発生用のガスに、容易にプラズマ発生可能なヘリウムガスを用いて成膜できるいう点では有利であるものの、窒素を含有させるためには原料等の検討が必要となるという問題があった。窒素を含有させられない問題は、半導体の特性制御ができず、具体的にはｐ型特性を示す酸化亜鉛膜の製造を実用化する上で大きな問題となる。
本発明の目的は、窒素含有を可能とし、さらに大気圧下で製造可能な酸化亜鉛薄膜の製造方法を提供することである。
【課題を解決するための手段】
【０００４】
本発明者は、プラズマ発生効率には不利であるが、窒素と酸素の混合ガスを反応ガスとして非平衡大気圧プラズマ化することで、堆積する酸化亜鉛膜中に窒素を添加できることを見いだし本発明に到達した。
すなわち本発明は、窒素及び酸素の混合ガスを、非平衡大気圧プラズマ化して反応性ガスとし、気化した有機亜鉛化合物と混合させ、該有機亜鉛化合物を分解し、基板上に堆積させる窒素含有酸化亜鉛膜の製造方法である。
【発明の効果】
【０００５】
本発明により製造した酸化亜鉛薄膜は、窒素を含有することでｐ型特性を実現する薄膜になりうる可能性がある。よって、これを用いてなる半導体製品は、酸化亜鉛が透明であることから、発光部材としての適用を期待できるものである。
【発明を実施するための最良の形態】
【０００６】
上述したように、本発明の重要な特徴は、従来知られる非平衡大気圧プラズマの利用において、それによる酸化亜鉛薄膜の製造に、窒素を含有した酸素ガスを非平衡プラズマ化した反応性ガスを用いたところにある。つまり、反応性ガスに窒素を含有した酸素ガスを非平衡プラズマ化したものを使用することで、その窒素は、単純に窒素ガスを窒素分子として導入して薄膜製造する方法に比べて、活性化して存在しているため、酸化亜鉛薄膜が堆積していく過程で膜の中に含有されやすくなる。
【実施例１】
【０００７】
以下の実施例で本発明を更に詳しく説明する。
成膜装置の構成は、模式図を図１に示す通り、酸化物を形成する基板面を下にして、プラズマガスが下方より該面に当たる配置とした。原料の有機亜鉛化合物には４％Ｂｉｓ［２，４−ｏｃｔａｎｅｄｉｏｎａｔｏ］Ｚｉｎｃヘキサン溶液を用いた。基板はＦｅ−４８ｍａｓｓ％Ｎｉ合金である。
【０００８】
そして、本原料（供給量０．５ｇ／ｍｉｎ）は気化させて、窒素ガスをキャリアガスとして７６０〜８１０ｔｏｒｒの圧力（反応ガスの３／８のガス量）で基材の処理表面にその側面から供給した。そして、上記の原料を供給しながら、酸素と窒素の体積比が１：１の混合ガスを非平衡プラズマ化させて、２００℃の低温に加熱した基体の処理表面に向けて上方に流し、原料ガスと１０分間反応させ、酸化亜鉛酸化物の膜を作った。
【０００９】
製造した膜の断面ＳＥＭ（走査型電子顕微鏡）写真を、その模式図とともに、図２に示す。なお、該膜上には、観察をしやすくするための、観察用Ｐｔ−Ｐｄスパッタ膜を形成している。図２より、基板上には緻密な膜が形成されていることがわかる。また、この膜をＥＤＸ（エネルギー分散型Ｘ線）分析した結果を図３に示す。膜が薄いため基板のＦｅとＮｉも検出されているが、薄膜構成元素のＺｎ、Ｏ（酸素）に加えて、Ｎ（窒素）が検出されており、窒素が含有されていることがわかる。さらに、Ｘ線回折により薄膜の結晶情報による同定を行った結果を図４に示す。図４から、薄膜がＺｎＯの結晶構造を持っていることが確認された。
【産業上の利用可能性】
【００１０】
本発明により製造した酸化亜鉛薄膜は、窒素を含有することでｐ型特性を実現する薄膜になりうる可能性がある。よって、これを用いてなる半導体薄膜は、酸化亜鉛が透明であることから発光部材としての適用を期待できるものである。
【図面の簡単な説明】
【００１１】
【図１】本発明の実施に用いた成膜装置の構成の一例を示す模式図である。
【図２】本発明により形成した窒素含有酸化亜鉛膜の断面の一例を示す顕微鏡写真と、その模式図である。
【図３】図２の窒素含有酸化亜鉛膜の部分を元素分析した、ＥＤＸチャート図である。
【図４】本発明により形成した窒素含有酸化亜鉛膜の一例を示すＸ線回折図形である。
【図１】
2010114198.tif 000003
【図２】
2010114198.tif 000004
【図３】
2010114198.tif 000005
【図４】
2010114198.tif 000006
【手続補正書】
【提出日】平成21年5月29日(2009.5.29)
【手続補正１】
【補正対象書類名】明細書
【補正対象項目名】０００７
【補正方法】変更
【補正の内容】
【０００７】
以下の実施例で本発明を更に詳しく説明する。
成膜装置の構成は、模式図を図１に示す通り、酸化物を形成する基板面を下にして、プラズマガスが下方より該面に当たる配置とした。原料の有機亜鉛化合物には４％Ｂｉｓ［２，４−ｏｃｔａｎｅｄｉｏｎａｔｏ］ｚｉｎｃオクタン溶液を用いた。基板はＦｅ−４８ｍａｓｓ％Ｎｉ合金である。
(57)【要約】【課題】ネットワークアプリケーションの通信において、イベントの発生源の端末１から、イベントの通知を必要とする端末２に対して、能動的にイベントの発生を通知できないプロトコルやプログラムは、イベントの通知を必要とする端末２からイベントの発生源の端末１に、ポーリングによる問い合わせをすることで、イベントの発生の有無を確認する必要があった。ポーリングによる問い合わせでは、問い合わせ時間間隔を最大とする遅延が生じていた。【解決手段】イベント発生源１のサービスとは独立した、イベントの通知を仲介する端末４を配置し、イベントを仲介する端末４と通信６、通信７を経由して、イベントを必要とする端末２に、イベント発生源の端末１からのイベントの発生をリアルタイムに通知する。【選択図】図１
2010114868.tif 000002
【特許請求の範囲】
【請求項１】
イベント発生源の端末からイベントを必要とする端末へのイベントを通知する通信方法であって、
イベント発生源の端末とイベントを必要とする端末の両方と通信を行う、イベント発生源の端末のサービスとは独立した、イベントを仲介する端末を備え、
イベントを仲介する端末を経由して、イベントを必要とする端末に、イベント発生源の端末からのイベントを、リアルタイムに通知することを特徴とする通信方法。
【発明の詳細な説明】
【技術分野】
【０００１】  本発明は、インターネットを介したネットワークアプリケーションのイベント通知方法に関する。
【背景技術】
【０００２】  従来のインターネットを介したネットワークアプリケーションにおいて、イベント発生源の端末におけるイベントの発生を、能動的に通信相手に通知する通信手順を持たないプロトコルやプログラムの場合は、イベントの通知を必要とする端末からイベント発生源の端末に定期的にイベントの発生の有無を問い合わせる一問一答形式の通信手順を用いたポーリングと呼ばれる方法で、イベントの発生の有無を確認している。かかる先行技術は、文献公知発明に係るものでないため、記載すべき先行技術文献情報はない。
【発明の開示】
【発明が解決しようとする課題】
【０００３】  しかしながら、以上の技術によれば、ポーリングを利用してイベントの発生の有無を確認する方法において、定期的に問い合わせを行う時間間隔を最大としたイベントを検出するまでの遅延が生ずる。そこで、本発明は、イベントの通知を必要とする端末に、リアルタイムにイベントの発生を通知する通信方法を提供することを課題とする。
【課題を解決するための手段】
【０００４】  以上の課題を解決するために、本発明は、イベント発生源の端末からイベントを必要とする端末へのイベントを通知する通信方法であって、イベント発生源の端末とイベントを必要とする端末の両方と通信を行う、イベント発生源の端末のサービスとは独立した、イベントを仲介する端末を備え、イベントを仲介する端末を経由して、イベントを必要とする端末に、イベント発生源の端末からのイベントを、リアルタイムに通知することを特徴とする通信方法である。
【発明の効果】
【０００５】  本発明によれば、イベントの通知を必要とする端末がポーリングを利用してイベントの発生の有無を確認していた場合に、イベントの通知を仲介する端末を経由して、リアルタイムにイベントの通知を行うので、イベントの発生を検出するまでの遅延がなくなる。
【発明を実施するための最良の形態】
【０００６】  本発明の一実施形態を、図１に示す。
従来のネットワークアプリケーションは、イベント発生源の端末１とイベントの通知を必要とする端末２が、通信３によって、データを送受信する。本発明では、イベント発生源の端末１におけるサービスから独立した関係にある、イベントの通知を仲介する端末４を配置し、通信３によらない、通信６、通信７を経由する通信経路を提供する。【０００７】  イベントの通知を必要とする端末２は、イベントの通知を仲介する端末４に対して、通信５と通信７を行うための永続的なコネクションを生成し、イベントの通知を必要とする端末２、あるいは生成したコネクションを識別する文字列８を作成し、イベントの通知を必要とする端末２とイベントの通知を仲介する端末４が保持する。【０００８】  イベントの通知を必要とする端末２は、通信３によって、イベント発生源の端末１にコネクションを識別する文字列８を通知し、イベント発生源の端末１はそれを保持する。【０００９】イベント発生源の端末１で、イベントが発生した場合、通信６によって、イベントの通知を仲介する端末４に、イベント発生の通知を行う。通信６の内容は、イベントの通知を必要とする端末２、あるいは生成したコネクションを識別する文字列８である。この通信６は、発生したイベントに関連する追加のデータ文字列を含む場合もある。【００１０】  イベントの通知を仲介する端末４は、イベントの通知を必要とする端末２、あるいは生成したコネクションを識別する文字列８の情報に従って、通信７によって、イベントの通知を必要とする端末２にイベント発生の通知を行う。この通信７は、発生したイベントに関連する追加のデータ文字列を含む場合もある。【００１１】  イベントの通知を必要とする端末２は、イベントの通知を仲介する端末４から受信したイベントの通知内容に従って、処理を行う。多くの場合は、イベント発生源の端末１に、通信３によって、通知されたイベントの詳細を問い合わせる。
【産業上の利用可能性】
【００１２】  本発明を利用することで、インターネットで利用可能な、個人や企業の管理するウェブページなどのデータが追加、または変更されたという状態の変更を、その更新と同時に、更新の通知を受け取りたいプログラムに通知することができる。この場合におけるイベントとは、ウェブページなどのデータが追加、または変更されたという状態変更であり、イベント発生源の端末は、ウェブページなどのデータを管理するコンピュータ上のプログラムであり、イベントの通知を必要とする端末は、該当するウェブページなどのデータの変更の通知を受け取りたいコンピュータ上のプログラムである。
【図面の簡単な説明】
【００１３】
【図１】本発明の一実施形態を示す概念図である。
【符号の説明】
【００１４】    １  イベント発生源の端末。一般的にはサービスを提供する側のコンピュータ。
２  イベントの通知を必要とする端末。一般的にはサービスを享受する側のコンピュータ。複数存在する場合もある。
３  既存のサービスのリクエストとレスポンスの通信。
４  イベントの通知を仲介する端末。
５  イベントの通知を仲介する端末に、取得したいイベントを識別する文字列の登録などの問い合わせを行う通信。
６  イベントの通知を仲介する端末に、イベントの発生を通知する通信。
７  イベントの通知を必要とする端末に、イベントの発生を通知する通信。
８  イベントの通知を必要とする端末２、あるいは通信５と通信７を行うコネクションを識別コード。
【図１】
2010114868.tif 000003
(57)【要約】      （修正有）【課題】携帯情報機器機能の操作、たとえば送・受信切換え操作、ボタンを押す操作、光学機器の操作などは、携帯情報機器に触れる者以外からも操作できるようにする。【解決手段】携帯情報機器を取り付けた光学機器の上、下、左、右への光学部の軸変化およびズーム操作や、携帯電話のカメラ、マイク、スピーカの操作や、コンサートホールに置かれたステレオマイク付き携帯電話の操作や、携帯情報機器に接続のロボットの操作を、遠隔に位置する携帯情報端末やコンピュータにより制御する。【選択図】なし【特許請求の範囲】
【請求項１】
機能を遠隔から操作できる携帯情報機器
【請求項２】
遠隔から操作する手段が無線通信である請求項１の携帯情報機器
【請求項３】
機能に光学機器、マイク、携帯情報機器、取付台の可動部および携帯情報機器操作者変更用の少なくとも１つの操作を含む請求項１，２の携帯情報機器
【請求項４】
光学機器の操作が上、下、左、右への光学部の軸変化およびまたはズーム操作である請求項１，２，３の携帯情報機器
【請求項５】
ロボットおよび飛行機等に装着することにより、遠隔操縦タイプロボットおよび飛行機になる請求項１，２，３，４の携帯情報機器
【請求項６】
ハイフィディリティーステレオ音など他の情報を有線、無線または光などから入手する手段を持つ請求項１，２，３，４，５の携帯情報機器
【発明の詳細な説明】
【技術分野】
【０００１】  本発明は、操作機能を遠隔から操作することができる携帯情報機器に関するものである。
【背景技術】
【０００２】  現在の携帯情報機器機能の操作、たとえば送・受信の切換え操作、ボタンを押す操作、光学機器の操作などは、携帯情報機器に触れている者が操作している。
【発明の開示】
【発明が解決しようとする課題】
【０００３】  携帯情報機器機能の操作を遠隔から行う。たとえば、送・受信切換え操作、キーボードを押すまたは押すと同等の操作、光学機器の操作などを無線を通して行う。
【課題を解決するための手段】
【０００４】  遠隔から該携帯情報機器に情報を送り、機能を遠隔から操作できる状態に切換える。該携帯情報機器に触れることの出来る者に情報を送り、機能を遠隔から操作出来る状態に切換えてもらう。もしくは第３者に連絡して、該携帯情報の機能を遠隔から操作出来る状態に切換えてもらう。これらを以降開始操作と言う。なお、該携帯情報機器の機能の操作を遠隔操作から、元に戻すときは、開始操作と同様に、元に戻す切換え操作を行う。これを以降終了操作と言う。なお、遠隔から同様の携帯情報機器を用いて各種機能の操作を、あたかも該携帯情報機器を直接操作しているように操作する。なお、コンピュータのキーボードとマウスを用いて操作するなども出来る。
【実施例】
【０００５】［例１］エジプトを旅行している友人の胸か帽子にカメラ付の該携帯電話１を取付けてもらう。該携帯電話１にはズーム機能付のカメラがあり、また、そのカメラの見る方向が上、下、左、右に変えられる。なお、該携帯電話は友人のいつも使用している物でも、私の物を持っていってもらってももどちらでも良い。  一方、東京の私は、例えば該携帯電話１と同様の携帯電話２を持っている。携帯電話２から携帯電話１に電話をしてカメラ、マイクおよびスピーカーを私が操作出来るようにして、友人と同じようにエジプトを旅行する。また、マイクでガイドさんの説明を聞くと共に、スピーカーでガイドさんに質問もする。【０００６】［例２］例１と同様だが、ディスプレイを眼鏡式に変更し、また、私の目の動きに連動して、携帯電話１のカメラの見る方向も変わるようにした。すると、本当にエジプトを旅行している気分になる。【０００７】［例３］米国のグランドキャニオンの所定の場所に回転式の携帯電話固定台付該携帯電話３を取付ける。電話番号を仮にＡＢとする。ＡＢに電話をかけた人から私に電話料金が入金される方式をとる。なお、この電話番号をＷｅｂ．ｓｉｔｅで宣伝する。また、この携帯電話のスピーカは機能しないようにする。これで世界のどこからでもグランドキャニオンが楽しめる。なお、グランドキャニオンを楽しむためには携帯電話３と通信できる携帯電話、パーソナルコンピュータのキー、キーボードやマウス操作など何でも良い。また、人工衛星から地球を見ることも出来る。  さらにステレオマイク付の携帯電話３をコンサートホールの一等席に置けば、ソリストに注目しながら自分の思いのままに音楽を楽しむことが出来る。なおこの際音は、ｂｌｕｅ  ｔｏｏｔｈなどを用いて専属のマイクからのハイフィディリティーステレオ音を受信することも出来る。また、本システムはテレビ会議にも用いることが出来る。【０００８】［例４］該携帯情報機器にロボットを操作出来る制御機能操作を付与し、ロボットの間を通信ケーブルやｂｌｕｅ  ｔｏｏｔｈなどの無線通信システムで結ぶ。そして、遠隔からロボットを操作すると、特別な通信システムを構築しなくても容易に目と耳を持ったロボットを遠隔から操縦できる。なお、通信回線は社内電話の子機など内線電話系でも良い。また、ロボットには別に自己判断で動作できる機能があった方が良い。
【産業上の利用可能性】
【０００９】１．        以上の説明から明らかなように、本説明の方式および技術によれば、テレビ会議、各地の製造ラインの監視などを、すでに社会インフラストレーションのほとんど整ったシステムを用いて実現できる。
(57)【要約】【課題】最近テレビジョン受像機や、その他のディスプレーに使用されるディスプレーの厚さが薄くなった。それに伴いヂィスプレーの天井（以下天板と称す）の面積が狭くなった。従来より、テレビジョン受像機の天板部は人形や写真等の置き場所として、飾り棚としての機能もあり、これが薄くなってこれが失われた。【解決手段】受像機の天板より面積の広い板を予め受像機に供えておき、出荷時に受像機の前面に倒しておき、設置時に上に回転させて受像機の天板の上に重ねる、互いに備えてある、マジックテープで固定する。【選択図】図−１
2010114863.tif 000002
【特許請求の範囲】
【請求項１】
テレビジョン受像機の両側の側面に穴を開けてピボットを入れここにテエビジョン受像機の天板より広い面積の天板のピンを通し出荷時には前面に倒して使用時にピンを軸として回転させて受像機の天板の上に乗せ、互いに貼ってあるマジックテープで固定して天板を拡大するテレビジョン受像機。
【発明の詳細な説明】
【発明の詳細な説明】
【技術分野】
【０００１】本発明は薄型テレビジョン受像機の構造に関するものである。
【背景技術】
【０００２】液晶パネルやプラズマテレビ、その他のディスプレーの性能向上により、テレビジョン受像機の厚さが
薄くなってきた。
しかし、従来の受像機の天板は写真や人形等の置き場所としても利用されていた。
そこへ薄型テレビジョン受像機になってその機能が失われ、殺風景な物になってしまった。
た。
【発明が解決しようとする課題】
【０００３】本発明はこの欠点を取り除くものである。
【発明が解決するための最良の形態】
【発明が解決するための最良の手段】
【０００４】薄型テレビジョン受像機の梱包状態には受像機の前面にたたんでおき、設置時に起こして受臓器の天板の上にマジックテープで固定するテレビジョン受像機である。
【発明を実施するための最良の形態】
【０００５】以下に本発明の形態について説明する。
（イ）図−１は本発明の構造図である。
（ロ）テレビジョン受像機（１）の出荷時の梱包状態は、面積の広い天板（９）をアング      ル（１０）のロッド（１１）をピボット（３）に通しておき、これを回転軸として      回転させて従来の受像機（８）の前面に倒しておく。
（ハ）テレビジョン受像機（８）の設置時にはこの倒してある面積の広い天板（９）を回      転させて従来の受像機（８）の上に乗せる。
（ニ）この時テレビジョン受像機（８）の天板（９）に貼られたマジックテープＡ（２）      と面積の広い天板（９）の裏面面のマジックテープＢ（４）が噛み会わせて固定す      る。
（ホ）この面積の広い天板（９）の物を載せる面の周囲には物が落ちないように枠を設け      ておき、又、ここに「重い物や、花瓶など水気の物を乗せないように、移動する時      にこの部分を持たないように」と言う注意を喚起する注意を書いたシール（６）を      貼る。
【発明の効果】
【０００６】テレビを鑑賞する部屋の雰囲気が良くなる。
【図面の簡単な説明】
【図−１】は本発明の正面図であり
【図−２】は側面図である。
【符号の説明】
（１）マジックテープＡ
（２）ピボット
（３）マジックテープＢ
（４）テレビジョン受像機置き台
（５）落下防止枠
（６）注意書きシール
（７）テレビジョン受像機
（８）テレビジョン受像機天板
（９）面積拡大天板
（１０）アングル
（１１）ロッド
【図−１】
2010114863.tif 000003
【図−２】
2010114863.tif 000004